(57)【要約】反動質量体の概ねの上下動が、回転運動に変換され、この回転運動が、「ばね」機能を生み出すように回転式液圧ポンプモーターと蓄圧器とで構成された回転式流体ばねを駆動するのに用いられる。本発明は、特に、反動質量体を有する波エネルギー変換器（ＷＥＣ）に適用可能である。この反動質量体は、その振動を確保するとともに当該反動質量体をその行程の中心付近に配置させるように、ばねに連結する必要がある。この反動質量体の直線上下運動は、直線／回転変換器を介して回転運動に変換され、ばね作用を反動質量体に提供するとともにその振動及び適切な位置決めを確保するように回転式液圧ポンプ／モーターを駆動することができる。
2014509715.tif 000002
【特許請求の範囲】
【請求項１】
波エネルギー変換器（ＷＥＣ）システムであって、
水塊の表面に沿って延在するとともに前記水塊において波の動きに応答するように設計されたコンテナーと、
前記コンテナー内に設置されて、前記波の動きに応答して概ね上下動するように構成された反動質量体を備える波エネルギー変換器（ＷＥＣ）デバイスと、
前記反動質量体に回転可能に連結されて、その振動及び位置の少なくとも一方を制御する、回転式液圧ポンプ／モーター及び蓄圧器を備える回転式流体ばねと、
を備える、波エネルギー変換器（ＷＥＣ）システム。
【請求項２】
前記ＷＥＣデバイスは、ラック及びピニオンギアの機構を備え、該ラックは、前記反動質量体によって上下に駆動され、前記ラックは、前記ピニオンギアの回転を引き起こし、前記ピニオンギアは、前記回転式液圧ポンプ／モーターに連結されたシャフトを有する、請求項１に記載のＷＥＣシステム。
【請求項３】
前記反動質量体は、該反動質量体の上下動に応じて回転するシリンダーにレバーアームを介して連結され、前記シリンダーは、シャフトを介して前記回転式液圧ポンプ／モーターに連結されている、請求項１に記載のＷＥＣシステム。
【請求項４】
前記ＷＥＣデバイスは、前記反動質量体に連結されたベルト及びプーリーのシステムを備え、前記ベルトは、前記反動質量体の移動に応じて移動し、前記ベルトは、該ベルトの移動に応答して回転するシャフトに連結され、該シャフトは、前記回転式液圧ポンプ／モーターに連結されている、請求項１に記載のＷＥＣシステム。
【請求項５】
前記ＷＥＣデバイスは、前記反動質量体に連結されたボール及びねじの機構を備え、前記ねじは、前記反動質量体の前記移動に応答して回転し、前記回転するねじは、前記回転式液圧ポンプ／モーターに連結されている、請求項１に記載のＷＥＣシステム。
【請求項６】
前記回転式流体ばねは、液体を貯蔵するための貯蔵器を備え、前記回転式液圧ポンプ／モーターは、第１の流体フローラインを介して前記貯蔵器に連結され、第２の流体フローラインを介して前記蓄圧器に連結され、気体が該蓄圧器に含まれている、請求項１に記載のＷＥＣシステム。
【請求項７】
前記反動質量体は、上部点と底部点との間を移動し、前記回転式液圧ポンプ／モーターは、前記反動質量体がその底部位置に移動するとき、ポンプとして機能して、前記蓄圧器内の圧力を増大させ、前記回転式液圧ポンプ／モーターは、前記反動質量体がその上部位置に移動するか又は駆動されるとき、前記蓄圧器内の圧力を減少させるモーターとして機能する、請求項６に記載のＷＥＣシステム。
【請求項８】
動力取出装置が前記反動質量体に連結されて、その移動を有用なエネルギーに変換する、請求項６に記載のＷＥＣシステム。
【請求項９】
前記蓄圧器は、Ｎ個のサブ蓄圧器を含み、各サブ蓄圧器は、前記蓄圧器がそれぞれのサブ蓄圧器を含めることを有効又は無効にする関連付けられた制御可能な弁を有する、請求項６に記載のＷＥＣシステム。
【請求項１０】
前記弁は、電気信号によって制御可能である、請求項９に記載のＷＥＣシステム。
【請求項１１】
前記蓄圧器は、Ｎ個のサブ蓄圧器を含み、各サブ蓄圧器は、前記蓄圧器がそれぞれのサブ蓄圧器を含めることを有効又は無効にする関連付けられた弁を有し、前記ＷＥＣデバイスは、選択された信号に応答して、これらの信号を処理するとともに選択された信号を前記弁のうちの選択されたものに印加し、それによって、前記回転式流体ばねのばね反応性を制御するプロセッサを備える、請求項６に記載のＷＥＣシステム。
【請求項１２】
前記回転式流体ばねは、可変ばねであり、そのばね反応性は、前記蓄圧器に追加の蓄圧器を選択的に加えるか又は取り除くことによって変更される、請求項１に記載のＷＥＣシステム。
【請求項１３】
波エネルギー変換器（ＷＥＣ）システムであって、
水塊の表面に沿って延在するとともに前記水塊において波の動きに応答するように設計されたコンテナーと、
前記コンテナー内に設置されて、前記波の動きに応答して概ね上下動するように構成された反動質量体を備える波エネルギー変換器（ＷＥＣ）デバイスと、
（ａ）前記反動質量体に回転可能に連結された回転式液圧ポンプ／モーターと、（ｂ）Ｎ個の蓄圧器及びＮ個の制御可能な弁であって、蓄圧器当たり１つの弁があり、各蓄圧器は、そのそれぞれの制御可能な弁を介して、前記回転式液圧ポンプ／モーターに連結された流体フローラインに連結されている、Ｎ個の蓄圧器及びＮ個の制御可能な弁と、を備える、可変回転式流体ばねと、
前記Ｎ個の制御可能な弁に連結されて該弁を選択的に開閉する手段と、
を備える、波エネルギー変換器システム。
【請求項１４】
前記反動質量体は、回転シャフトを介して前記回転式液圧ポンプ／モーターに連結されている、請求項１３に記載のＷＥＣシステム。
【請求項１５】
前記回転式流体ばねは、前記液圧ポンプによって前記蓄圧器内又は前記蓄圧器外へポンプ圧送される液体を収容する貯蔵器を備え、前記反動質量体に連結されて、前記反動質量体の動きを電気エネルギーに変換する動力取出装置を更に備える、請求項１３に記載のＷＥＣシステム。
【請求項１６】
前記Ｎ個の制御可能な弁に連結されて該弁を選択的に開閉する前記手段は、
前記反動質量体の移動によって生成される信号に応答して、選択された弁の前記開閉を制御するプロセッサと、
前記反動質量体に連結され、Ｎ個の弁を介してＮ個の蓄圧器に連結された液圧ポンプを備える流体ばねと、
を備え、
Ｎは１以上であり、
前記手段は、
前記液圧ポンプに連結された前記反動質量体の前記移動に応答して、前記液圧ポンプを駆動する回転運動を生み出す手段、
を備える、請求項１３に記載のＷＥＣシステム。
【発明の詳細な説明】
【技術分野】
【０００１】
本発明は、機械（すなわち、物理）ばね及び／又は線形流体ばねの代わりに用いることができる回転式流体ばねに関する。
【０００２】
本発明は、その教示を引用することにより本明細書の一部をなす以下の仮特許出願：（ａ）２０１１年３月２８日に出願の「PITCH DRIVEN WAVE ENERGY CONVERTER (PDWEC)」と題する米国仮特許出願第６１／５１６，００４号、（ｂ）２０１１年３月２８日に出願の「MULTI-MODE WAVE ENERGY CONVERTER SYSTEM」と題する米国仮特許出願第６１／５１６，００３号、及び（ｃ）２０１１年３月２８日に出願の「HYDRAULIC SPRING」と題する米国仮特許出願第６１／５１６，０２５号に基づいて優先権を主張する。
【背景技術】
【０００３】
ばねが必要とされる多くの用途がある。機械（すなわち、物理）ばねの使用は、サイズの制限、応答時間の制限及び信頼性の検討事項のために問題となることが多い。これは、機械ばねが非常に大きな重量（例えば、数千キログラム）を取り扱うことができなければならない場合に特にそうである。加圧液体及び加圧気体を用いた線形流体ばねが、代替物として提案されてきた。しかしながら、以下で議論するように、線形流体ばねは、それらの使用を制限する重大な欠点を有する。
【０００４】
本発明は、波エネルギーの利用で用いるために例示される。しかしながら、本発明は、一般の適用可能性を有し、物理ばねの代わりになるものとして多くの異なる用途で用いることができることが理解されるべきである。
【０００５】
機械（物理）ばねの使用に関する問題は、Stewart他（Stewartは本出願人である）に発行された米国特許第７，４４３，０４６号において議論されている。この米国特許の教示及び米国特許第８，０６７，８４９号の教示は、引用することにより本明細書の一部を成すものとする。これらの引用された米国特許において議論されているように、（ａ）波の作用を受ける「フロート」又はコンテナーと、（ｂ）全体がフロート内に収容される「反動」質量体と、（ｃ）物理ばねと、（ｄ）反動質量体及びフロートに連結された動力取出装置（Power Take Off device：ＰＴＯ）と、を備える波エネルギー変換器（Wave Energy Converter：ＷＥＣ）ブイを形成することができる。このタイプのシステムでは、反動質量体（Ｍ）は、物理ばねから懸架されるか又は物理ばねによって支持され、この物理ばねは、フロートに接続され、その力定数（ｋ）は、ＷＥＣの所望の自然周期に与えるように調節されている。
【０００６】
従来技術の図１は、米国特許第７，４４３，０４６号の図５に対応するものであり、機械（物理）ばねを用いて、密閉封止されたブイシェル内にばね上質量体（Mass-On-Spring：ＭＯＳ）振動子を形成するＭＯＳ波エネルギー変換器（ＷＥＣ）を示している。
【０００７】
従来技術の図２は、同様に米国特許第７，４４３，０４６号に教示（又は提案）されているような流体ばねの使用を示す非常に単純化された図面である。ブイシェル１００内には、流体フローラインを介して蓄圧器に連結された液圧シリンダーが封入されている。反動質量体が、波がブイシェルに衝撃を与えることに応答してシリンダー内を（上下に）移動するピストンヘッドを有するピストンに取り付けられている。この反動質量体は、当該反動質量体の動きに応答して動力を生み出す動力取出装置（ＰＴＯ）に機械的に連結されている。図２では、液圧シリンダーの下側部分と流体蓄圧器との間を、流体フローラインを介して流れることができる流体が設けられている。この流体は、この場合、蓄圧器に挿入された気体の圧力を変化させるのに用いられる。すなわち、この流体は、反動質量体が液圧シリンダー内でピストンを下方に押下したとき、気体を圧縮することができる。他方では、（蓄圧器内の）圧縮された気体は、圧力下に置かれると、押し戻すことに寄与し、流体及びピストン並びに反動質量体をシリンダー内において垂直上方に移動させることに寄与する。
【０００８】
図２の流体ばねの動作が、図３Ａ、図３Ｂ及び図３Ｃに示されている。これらの図は、米国特許第７，４４３，０４６号に開示されているように、線形流体蓄圧器に連結された線形液圧シリンダーを用いて機械（物理）ばねの機能を実行することができることを実証している。反動質量体が、液圧シリンダー内に配置されたピストンヘッドで終端しているピストンに取り付けられ、反動質量体／ピストン／ピストンヘッドは、シリンダーに沿って上下に移動することができる。液圧シリンダーは、フローラインを介して蓄圧器に接続され、シリンダー内の流体が、このフローラインを介して液圧シリンダーと流体蓄圧器との間を前後に流れることができるようになっている。図３Ａ、図３Ｂ及び図３Ｃは、３つの異なる位置にある反動質量体を示している。反動質量体が、図３Ａに示すように上側位置にある（ピストンヘッドがシリンダーの上部の近くにある）とき、蓄圧器内の気体圧力は、その最低圧力にあり、反動質量体は、行程の中心に向けて降下することが可能になる。反動質量体が、図３Ｃに示すように下側位置にある（ピストンヘッドがシリンダーの底部の近くにある）とき、蓄圧器内の気体圧力は、その最高圧力にあり、反動質量体を行程の中心に向けて戻すように駆動することに寄与する。反動質量体が、図３Ｂに示すように中央（中心）位置にあるとき、蓄圧器内の気体圧力は、反動質量体に対する重力の影響を打ち消すのに十分な力をシリンダーロッドに対して提供する。この状態は、液圧シリンダーによって提供される所望の打ち消し力を提供するように選択される「事前充填」圧力の設定を反映している。
【０００９】
図２及び図３の「線形」流体ばねに関する重大な問題は、ピストン及びロッドのシールが破損する前に、液圧シリンダーが線形移動量（例えば１００００ｋｍの移動量）に関して寿命を有限にすることに寄与するということである。図３Ｂ（縁部のマーキングを参照）に示すように、ピストン及びピストンヘッドの外周部における絶え間ない摩擦によって、ロッドシール及びピストンシールが摩滅又は破損する。線形液圧シリンダーに関するもう１つの課題は、それらの長さ（線形液圧シリンダーは、ストローク距離の少なくとも２倍程度の長さがなければならない）であり、線形液圧シリンダーは、精密なガイドを必要とする。これらの問題は、本発明を具現化するシステムにおいて克服される。
【発明の概要】
【００１０】
本発明によれば、反動質量体の概ねの上下動が回転運動に転換され、この回転運動が、「ばね」機能を生み出すように組み合わされた回転式液圧ポンプ／モーターと蓄圧器とで構成された回転式流体ばねを駆動するのに用いられる。本発明を具現化する回転式流体ばねは、長い耐用寿命を有することが知られている回転式液圧ポンプ／モーターを備える。この長い耐用寿命によって、回転式液圧ポンプ／モーターは、前に開示した線形液圧シリンダーの魅力的な代替物となっている。本発明は、特に、反動質量体を有する波エネルギー変換器（ＷＥＣ）に適用可能である。この反動質量体は、その振動を確保するとともに当該反動質量体をその行程の中心付近に配置させるように、ばねに連結する必要がある。本発明によれば、反動質量体は、直線／回転変換器を介して、モーターに連結された回転式液圧ポンプ／モーターに連結されて、この反動質量体にばね作用が提供されるとともにその振動が確保される。本発明に従って形成された回転式流体ばねは、物理機械ばね又は線形液圧シリンダーばねの代わりに用いることができる。
【００１１】
添付の図面（縮尺通りに描かれていない）において、類似の参照符号は類似の構成要素を表す。
【図面の簡単な説明】
【００１２】
【図１】物理ばねを用いた従来技術のばね上質量体ＷＥＣの図面である。
【図２】線形シリンダーばねを有する従来技術のばね上質量体ＷＥＣの図面である。
【図３Ａ】図２の線形シリンダーばねの３つの異なる位置のうちの１つ及びそれに関連した問題を示す図である。
【図３Ｂ】図２の線形シリンダーばねの３つの異なる位置のうちの１つ及びそれに関連した問題を示す図である。
【図３Ｃ】図２の線形シリンダーばねの３つの異なる位置のうちの１つ及びそれに関連した問題を示す図である。
【図４】本発明による、線形上下運動を有する反動質量体を有するとともに回転式流体ばねを備えるＷＥＣデバイスの非常に単純化された断面図である。
【図５Ａ】図４のシステムの３つの異なる位置のうちの１つを示す図である。
【図５Ｂ】図４のシステムの３つの異なる位置のうちの１つを示す図である。
【図５Ｃ】図４のシステムの３つの異なる位置のうちの１つを示す図である。
【図６】本発明による、回転式流体ばねに連結された回転反動質量体を有するＷＥＣデバイスの非常に単純化された断面図である。
【図７】回転運動を生み出して、複数の蓄圧器に連結された液圧ポンプ／モーターを駆動するプーリーに連結された線形上下運動を有する反動質量体の非常に単純化された断面図である。
【図８】本発明を具現化する、回転式流体ばねを有するベルト／ケーブル駆動システムを用いたＷＥＣデバイスの単純化された断面図である。
【図９】本発明による、反動質量体がボール及びねじの機構を駆動するとともに回転式流体ばねがばね機能を提供するのに用いられるＷＥＣデバイスの単純化された断面図である。
【発明を実施するための形態】
【００１３】
図４を参照すると、波エネルギー変換器（ＷＥＣ）デバイス２００が配置されているコンテナー又はシェル１００が示されている。ＷＥＣデバイス２００は、（ａ）シェルの上部と底部との間に設置された線形ガイド（１２６ａ、１２６ｂ）に沿って上下動することができる反動質量体Ｍ１、（ｂ）反動質量体に従って、シェル１００を移動させる波動に応答して反動質量体とともに上下動する歯付きラック４２、（ｃ）その歯がラックと噛み合うとともにラックの上下動に対応して回転されるピニオンギア４４を備え、（ｄ）ピニオンギア４４は、当該ピニオンギアの回転に応じて回転するシャフト４６に取り付けられ、（ｅ）次いで、シャフト４６は、蓄圧器５２（ガスポケットを有する）内に押し込まれるか又は蓄圧器５２から引き出される、流体貯蔵器５０からの流体の量の増減を引き起こし、それによって、蓄圧器内の気体の圧力を制御することができる回転式液圧ポンプ／モーター４８を駆動し、（ｆ）反動質量体は、動力取出装置（ＰＴＯ）に機械的にリンクされて、動力を生み出す。図４では、ＰＴＯは、ピニオンギア５４を備え、このピニオンギアは、その歯がラック４２と噛み合い、（ピニオンギア４４と同様に）ラックの上下動に対応して回転される。ピニオンギア５４は、発電機５８を、直接又はギア機構（図示せず）を介して駆動するシャフト５６に取り付けられている。
【００１４】
反動質量体及びこの反動質量体に取り付けられたラックの、波動に応答した移動に応じたＷＥＣデバイス２００の動作が図５Ａ、図５Ｂ及び図５Ｃに示されている。反動質量体が上下動すると、シャフト４６は、時計方向又は反時計方向に回転されて、より多くの流体が蓄圧器５２内に流入して気体を圧縮するように、又は流体の一部が蓄圧器５２から流出して、気体が流体に及ぼす圧力を減少させるように、液圧ポンプ／モーターを制御する。反動質量体が、図５Ａに示すように上側位置にあるとき、蓄圧器内の気体圧力は、その最低圧力にあり、反動質量体は、行程の中心に容易に向かうことが可能になる。反動質量体が、図５Ｃに示すように下側位置にあるとき、蓄圧器内の気体圧力は、その最高圧力にあり、反動質量体を行程の中心に向けて戻すように駆動することに寄与する。反動質量体が、図５Ｂに示すように中央（中心）位置にあるとき、蓄圧器内の気体圧力は、反動質量体に対する重力の影響を打ち消すのに十分な力をシャフト４６及びピニオンギア４４に対して提供する。この状態は、システムによって提供される所望の打ち消し力を提供するように選択される「事前充填」圧力の設定を反映している。したがって、回転式液圧ポンプ／モーター及び蓄圧器は、線形液圧シリンダーも物理ばねも必要とすることなく「ばね」機能を提供する。
【００１５】
蓄圧器の容積は、システムの所望の「ばね反応性」を提供するように選択される。同じ量の気体の場合、蓄圧器が物理的に大きいほど、「より柔らかい」ばねが提供される一方、蓄圧器が物理的に小さいほど、「より硬い」堅固なばねが提供される。
【００１６】
回転式液圧ポンプ／モーターを用いることができるのは、反動質量体及びそのラックの直線運動を回転運動に変換して回転式液圧ポンプ／モーターを駆動することと、その逆に、回転式液圧ポンプ／モーターのシャフトの回転を反動質量体の直線運動に変換することとに基づいている。
【００１７】
図４では、発電機は、それ自体のシャフトを有するように示されている。しかしながら、回転式発電機は、回転式液圧ポンプ／モーターと同じシャフトを用いることができることが理解されるべきである。図４は、ラックアンドピニオンの使用も示している。このラックアンドピニオンの構成は、本明細書に示すように他の任意の好適な機械又は電気機械装置に置き換えることができることが認識されるべきである。シェル１００内に２つ以上のＷＥＣデバイスが存在することができ、それらのＷＥＣデバイスは、本明細書に示すものと異なるタイプのものであってもよい。
【００１８】
図６は、回転式液圧ポンプ−モーターばねの発明を、回転反動質量体を有するＷＥＣデバイスとともに用いることができることを示している。図６には、シェル／コンテナー１００内に位置決めされた２つの同様のＷＥＣデバイスが示されている。図６は、本発明を具現化する、回転反動質量体ＷＥＣデバイスの理想化された断面図である。ＷＥＣデバイスは、シャフト６４に回転可能に設置された一定半径の円形ドラム６２を備える。シャフト６４は、コンテナー１００の側部に取り付けられているか又はコンテナー１００の底部に基礎を置く１つ又は複数の支柱（図示せず）によって支持されている。反動質量体Ｍ１は、固定長の剛性レバーアーム６６の一方の端部に取り付けられている。レバーアーム６６の他方の端部は、ドラム６２の外側表面に取り付けられている。シャフト６８は、一方の端部がドラム６２に取り付けられ、その他方の端部が液圧ポンプ／モーター４８に取り付けられている。液圧ポンプ／モーター４８は、貯蔵器５０及び蓄圧器５２と組み合わさって、シャフト６６にばね作用を提供し、このシャフトから反動質量体にばね作用を提供する。反動質量体の移動によって、シャフト６６は、時計方向又は反時計方向に回転する。シャフト６６の動きは、図５Ａ、図５Ｂ及び図５Ｃに示すように、液圧ポンプ／モーター４８に流体を流させるのに十分なものである。したがって、液圧ポンプ／モーター４８は、回転反動質量体ＷＥＣデバイスが、あたかも物理ばねがドラムに取り付けられているように動作することを可能にするのに必要とされるばね機能を提供する。その後、反動質量体の移動は、ＰＴＯ５８によって有用なエネルギー（例えば、電気エネルギー）に変換される。
【００１９】
図７は、本発明の別の適用例を示している。この実施形態では、反動質量体Ｍ１は、ピボット７６の回りを回転するプーリー７４に巻装されたケーブル７２によって支持されている。このプーリーは、シャフト７８に取り付けられ、シャフト７８は、回転式液圧ポンプ／モーター４８のシャフトに更に取り付けられている。液圧ポンプ／モーター４８は、貯蔵器５０とポンプ４８との間に連結された流体フローライン５５と、ポンプ４８と蓄圧器５２との間に連結された流体フローライン５３とによって、貯蔵器５０と蓄圧器５２との間で液体をポンプ圧送することができる。図７では、蓄圧器５２は、４つのサブ蓄圧器５２ａ、５２ｂ、５２ｃ、５２ｄを有するように示されている。各サブ蓄圧器は、そのそれぞれの弁（Ｖ１、Ｖ２、Ｖ３、及びＶ４）によって、蓄圧器５２とポンプ／モーター４８との間に延在する流体フローライン５３に連結されている。これらの弁は、（電気的又は機械的に）制御可能な任意の弁とすることができる。この実施形態は、１つの大きな蓄圧器の代わりに、それよりも小さな幾つかの蓄圧器を用いることができることを示している。より重要なことは、図示されているものが、複数の蓄圧器を有することによって、サブ蓄圧器のうちの選択されたものを接続又は接続解除するように弁を開閉することが可能であるということである。全てのサブ蓄圧器が回転式液圧ポンプ−モーターに接続されているとき、システムの「ばね反応性」は「柔らかい」。サブ蓄圧器のうちの１つ又は２つしかポンプ−モーターに接続されていないとき、システムのばね反応性は「硬い」。ブイのオペレーターは、波からのエネルギーの取り込みを最大にするために、質量体ばね振動子を所望の周波数で共振させるようにばね剛性を調節することができる。代替的に、弁（Ｖ１、Ｖ２、Ｖ３、及びＶ４）の開閉は、弁制御回路７０２を駆動して任意の所望のばね類似の機能を達成するプロセッサ７００（プログラムすることができる）によって（自動的に）制御することができる。このプロセッサは、システムの応答をプログラムして制御するのに用いることができることに留意されたい。
【００２０】
本発明の回転式流体ばねの重要な利点は、線形構成要素が存在せず、この回転式流体ばねが高速の液圧モーターもポンプも何ら必要とせず、非常に効率的かつ低コストの構成要素及び単純な回路類を用いるということである。
【００２１】
図８は、波エネルギー変換器（ＷＥＣ）デバイス６００が設置されているコンテナーの単純化された断面図である。ＷＥＣデバイス６００は、（ａ）コンテナー１００の前部若しくは後部に又は一般的には外周部に沿って配置されたときに、ピッチ、ヒーブ、及び／又はロールの動き及び力に効率的に応答することができ、（ｂ）概ねコンテナー１００の中心の回りに配置された場合には、ヒーブの動き及び力に効率的に応答することができる。
【００２２】
図８は、反動質量体Ｍ１を示し、反動質量体Ｍ１は、上側取り付け端子２２ａ及び底側取り付け端子２２ｂを有し、ガイドレール２４ａと２４ｂとの間を上下に進むことができる。ベルト／ケーブル２６は、上部端子２２ａにしっかりと取り付けられ、端子２２ａから延びて、上部プーリー／ローラー２８ａの周囲に巻装される。ケーブル２６は、その後、プーリー／ローラー３０ａの周囲に延び、プーリー３２の周囲に巻装される。プーリー３２は、シャフト３４を介して発電機１４０（すなわち、ＰＴＯ）を駆動する。発電機１４０もコントローラー１５０によって制御される。ケーブル２６は、プーリー／ローラー３０ｂの周囲に延び、次いで、プーリー３６の周囲を進み、次いで、底部プーリー／ローラー２８ｂの周囲に延び、次いで、このケーブルがしっかりと取り付けられている端子点２２ｂに延びる。ローラー／プーリー３６は、流体ライン５３を介した蓄圧器５２内への流体フローを制御する回転式液圧ポンプ／モーター４８に連結されたシャフト３７を駆動する。流体貯蔵器５０は、流体ライン５５を介してポンプ／モーター４８に連結されている。ポンプ／モーター４８、蓄圧器５２及び貯蔵器５０は、主要なばね機能を提供して、反動質量体を振動させるとともにその上下行程の中間点に駆動する。
【００２３】
コンテナー１００は、このコンテナーが配置される水塊において波に応答して移動し、上側ローラー２８ａと下側ローラー２８ｂとの間で反動質量体Ｍ１を上下に移動させる。停止部（図示せず）を用いて、反動質量体がローラーに衝突することを防止することができる。反動質量体が移動すると、ケーブル２６は、シャフト３４及び３７を時計方向又は反時計方向に回転させる。シャフト３４は、回転すると、発電機１４０を駆動するか、又はモーターとして機能する発電機１４０によって駆動される。同様に、シャフト３７は、回転すると、ポンプ／モーター４８を駆動する（蓄圧器内の圧力を増大させる）か、又はシャフト３７は、（蓄圧器内の圧力に応答して）ポンプ／モーター４８によって駆動される。
【００２４】
コントローラー１５０及び発電機／モーター１４０は、反動質量体の位置及び速度を示す信号に応答して行程の中心に向けて反動質量体を進めることに寄与するように用いることもできる。発電機は、ばね類似の機能を提供するようにプログラム（制御）することができる。コントローラーが、ベルトに力を印加して反動質量体の中心配置を維持するように発電機の電流を制御するとき、発電機はばねのように振舞う。この力は、機械ばねが、変位が増加するにつれて力を増大させるのと同様に、反動質量体が中間点から遠く離れるにつれて増大される。
【００２５】
図９は、ばね機能が回転式流体ばねを含む、コンテナー１００内に設置されたボール及びねじ駆動型ＷＥＣデバイスを示している。反動質量体Ｍ１は、コンテナー１００をヒーブ（又はピッチ）させる波動に応答して上下動する。Ｍ１は、上下動すると、ボールねじ９１を時計方向又は反時計方向に回転させる。このボールねじのシャフトは、流体貯蔵器５０と蓄圧器５２との間の流体の流れを制御する回転式液圧ポンプ／モーター４８のシャフトに接続されている。一方の状態（反動質量体が上部にあるか又は上部に近くにあるとき）の場合、蓄圧器内の流体の量は最小（最低レベル）であり、気体が及ぼす圧力は最小である。その逆の状態（反動質量体が底部にあるか又は底部の近くにあるとき）の場合、蓄圧器内の流体の量は最大であり、気体が及ぼす圧力は最大である。したがって、回転式液圧ポンプ／モーター４８は、必要とされるばね機能を提供して、ＷＥＣデバイスが、あたかも物理ばねが反動ドラムに連結されているように動作することを可能にする。
【００２６】
示す実施形態が、例証のためのものであること、また、多くの異なるタイプのＷＥＣデバイスを、本発明を実施するために使用することができることが上記の議論から明らかであるべきである。
【図１】
2014509715.tif 000003
【図２】
2014509715.tif 000004
【図３Ａ】
2014509715.tif 000005
【図３Ｂ】
2014509715.tif 000006
【図３Ｃ】
2014509715.tif 000007
【図４】
2014509715.tif 000008
【図５Ａ】
2014509715.tif 000009
【図５Ｂ】
2014509715.tif 000010
【図５Ｃ】
2014509715.tif 000011
【図６】
2014509715.tif 000012
【図７】
2014509715.tif 000013
【図８】
2014509715.tif 000014
【図９】
2014509715.tif 000015
【国際調査報告】
2014509715.tif 000016